Podtech/llm-jp-corpus-v4-ja_patent huggingface dataset:
(57)【要約】【課題】大型の表示装置を搬送し、搬送時の姿勢を変えることのできる機能を兼ね備えた台車を提供することを目的とする。【解決手段】（ア）軽量化のために軽量形鋼を用いた概略長方形でフレーム形状のベースフレーム（１）の四隅に車輪（４）を設け、設置時の安定のためのアンカーボルト（２）を取り付けたアンカー収縮筒（１２）を格納するためのアンカー収納管（３）を４隅に設け、概略中央部にはガイド機能を具備した形状の昇降ガイド（９）を設け、この内部には昇降フレーム（１０）を巻き上げ機能を具備した上昇・下降駆動操作部（１１）により上昇及び下降が可能なようにワイヤーとプーリーにより相互に連接し駆動可能なように設ける。（イ）昇降フレーム（１０）には回転板（７）を回転軸受け（８）を介して回転自由に設け、回転板（７）には大型表示装置（１３）を固定するための表示装置取り付け金具（６）を４隅に設置した、取付フレーム（５）を設ける。以上を特徴とする。【選択図】図１
2010116131.tif 000002
【特許請求の範囲】
【請求項１】
（ア）軽量化のために軽量形鋼を用いた概略長方形でフレーム形状のベースフレーム（１）の四隅に車輪（４）を設け、設置時の安定のためのアンカーボルト（２）を取り付けたアンカー収縮筒（１２）を格納するためのアンカー収納管（３）を４隅に設け、概略中央部にはガイド機能を具備した形状の昇降ガイド（９）を設け、この内部には昇降フレーム（１０）を巻き上げ機能を具備した上昇・下降駆動操作部（１１）により上昇及び下降が可能なようにワイヤーとプーリーにより相互に連接し駆動可能なように設ける。
（イ）昇降フレーム（１０）には回転板（７）を回転軸受け（８）を介して回転自由に設け、回転板（７）には大型表示装置（１３）を固定するための表示装置取り付け金具（６）を４隅に設置した取付フレーム（５）を設けた大型表示装置搬送台車
【発明の詳細な説明】
【技術分野】
【０００１】この発明は、ＬＥＤや液晶、プラズマなど最近大型の表示装置が市販されており、工場や販売店等の搬入元から家庭やオフィスなどの搬入先への移送の際に用いる搬送用の台車に関するものである。
【背景技術】
【０００２】従来、大型の表示装置は梱包が強固になされ、多くは表示装置本体よりかなり大型の梱包状態でトラック等の荷台に据え付けら、搬入先に届けられていた。これらの市販の大型の表示機の搬送場所は一般家庭やオフィスであるため階段や段差のある場所が多く、梱包を解き人力で運んだり、梱包のままクレーン等で上階につり上げ、窓や扉から室内に運び込む方法であり、一般の台車やクレーン及び大勢の人手で行われることが多かった。
【発明の開示】
【発明が解決しようとする課題】
【０００３】そのためには次のような問題が有った。
大型の表示器の梱包後の形態は製品に類似した長方形の箱体であるが輸送時の衝撃を避けるために大型で厚手となり、輸送車両への積み込みや降ろしのために箱体の底面にはフォークリフトのフォークが差し込める様に木製のパレットが取り付けられており、場合により吊り下げのための強固な部材で箱体の上部を補強しており、高価で、再利用ができなかった。また輸送車両からクレーンやフォークリフトにより降ろされた箱体は梱包を解き数人の人手で階段を使用し階上に持ち運ばれるか、クレーンを用いて梱包を解かずに窓から搬入していた。エレベーターが据え付けられている建物でも、横向きの場合は寸法的にレベーターの中に入りきらず、縦に立てる場合、エレベーターの外に居る作業者がエレベーターの外から立てる必要があり、エレベーターの使用は難しかった。
【課題を解決するための手段】
【０００４】長方形の表示装置の投影面積よりも狭い投影面積の部位に表示装置を回転させる回転機構及び昇降機構を設けこれらを低背で、幅の調整が可能なアンカー及び車輪を設けた台車に取り付けた構造とした。
【発明の効果】
【０００５】台車がパレットとしての機能、フォークを差し込む部位及び強固な柱状部材を具備し、幅の調整が可能なアンカーが設けられているため簡便な梱包形態で本発明の本体に固定した状態でトラック輸送が可能となる。【０００６】クレーンで持ち上げる場合も本発明の本体の上部にフックを設けることにより表示装置ごと容易に吊り下げが可能である。【０００７】本発明自体に昇降機構及び回転機構が設けられているため、表示器を縦に立てることが容易なため、エレベーターの使用が可能となり、しかも少人数での取り扱いが可能となる。【０００８】台車には車輪がもうけられているため平地での移送が容易である。【０００９】本発明に設けられた昇降機構及び回転機構により二階への搬入も主に本発明により窓からの搬入が可能となり、簡便である。
【発明を実施するための最良の形態】
【００１０】以下に本発明の実施の形態を図１，図２，図３を用いて説明する。
（ア）軽量化のために軽量形鋼を用いた概略長方形でフレーム形状のベースフレーム（１）の四隅に車輪（４）を設け、設置時に安定させるためにアンカーボルト（２）を取り付けたアンカー収縮筒（１２）を格納するためのアンカー収納管（３）を４隅に設け、概略中央部にはガイド機能を具備した形状の昇降ガイド（９）を設け、この内部には昇降フレーム（１０）を巻き上げ機能を具備した上昇・下降駆動操作部（１１）により上昇及び下降が可能なようにワイヤーとプーリーにより相互に連接し駆動可能なように設ける。
（イ）昇降フレーム（１０）には回転板（７）を回転軸受け（８）を介して回転自由に設け、回転板（７）には大型表示装置（１３）を固定するための表示装置取り付け金具（６）を４隅に設置した取付フレーム（５）を設ける。
本発明は以上のような構成で使用の際は、
大型表示装置（１３）を表示装置取り付け金具（６）を用いて取り付け、通常の台車と同じく押し引きの動作にて輸送車両の荷台に搬入し、アンカー収縮筒（１２）を引き出しアンカーボルト（２）の高さを調整することにより輸送車両の荷台に固定する。目的地に到着後、アンカー（２）を収納し、車輪（４）を用いて輸送車両より地面に荷を降ろす。設置場所が一階の場合は車輪（４）を用いて運び込み設置する。二階以上でエレベーターが据え付けられている家屋では上昇・下降駆動操作部（１１）のハンドルを回転させることにより昇降フレーム（１０）を目的の高さまで持ち上げ、回転板（７）を回転し、エレベーターに収まる形態に調整し、屋内に搬入する。エレベーターの据え付けられていない家屋の二階の場合は昇降フレーム（１０）を二階の窓の高さまで伸ばし、窓から搬入する。
【図面の簡単な説明】
【００１０】
【図１】本発明の斜視図である。
【図２】本発明の昇降フレームを伸ばした状態の視図である。
【図３】本発明に大型表示装置を設置後、縦に立てた状態の斜視図である。
【符号の説明】
【００１１】１．ベースフレーム
２．アンカーボルト
３．アンカー収納管
４．車輪
５．取付フレーム
６．表示装置取り付け金具
７．回転板
８．回転軸受け
９．昇降ガイド
１０．昇降フレーム
１１．上昇・下降駆動操作部
１２．アンカー収縮筒
１３．大型表示装置
【図１】
2010116131.tif 000003
【図２】
2010116131.tif 000004
【図３】
2010116131.tif 000005
(57)【要約】      （修正有）【課題】ダンボールを廃棄する際、ダンボールを折りたたみ、紐で外側を縛るが、力が必要であり、しばった後ゆるみが出たり、使用する紐が長くなる欠点を解決する。【解決手段】折り畳んだダンボール１の複数箇所の適当な位置に本工具６を用いて穴を開けるのと同時に紐２を通し、裏側で紐を縛り簡単にダンボール１を梱包できる。【選択図】図３
2010116173.tif 000002
【特許請求の範囲】
【請求項１】
取手と金属棒からなる工具であって、前記金属棒の先端はくさび形状であり、かつ、所定の幅を有する切込みが設けられていることを特徴とするダンボール用紐貫通工具。
【請求項２】
前記金属棒の切込みにダンボールを縛るための紐をかけたままの状態で前記ダンボールの所定の複数の位置に貫通させることを特徴とする請求項１記載のダンボール用紐貫通工具。
【発明の詳細な説明】
【技術分野】
【０００１】
本発明はダンボール廃棄の際、畳んだダンボールの中央部数箇所に穴を開けると同時に紐を通し、その紐を縛り梱包を容易にするための工具。          
【背景技術】
【０００２】
従来ダンボールを廃棄する際、ダンボールを折りたたみ、紐で外側を縛っていた。
【発明の開示】
【発明が解決しようとする課題】
【０００３】
ダンボールを折りたたみ、紐で外側を縛るには、強く縛るのには力が必要であり、また使用する紐が長くなるという欠点があった。
【０００４】
図６は、従来のダンボールの梱包方法である。図６に示すように、従来の一般的な梱包方法ではダンボール１を畳んで周りに紐２を巻きつけて縛りつけていたが、折り畳んだダンボール１が元に戻ろうとするために強く縛るには力を必要とした。
【０００５】
本発明は折り畳んだダンボールを簡単に梱包できる工具を提供することを目的とする。
【課題を解決するための手段】
【０００６】
取手と金属棒からなる工具であって、前記金属棒の先端はくさび形状であり、かつ、所定の幅を有する切込みが設けられていることを特徴とするダンボール用紐貫通工具。
【発明の効果】
【０００７】
上述したように、簡便にダンボールに紐を貫通し縛ることからを容易に梱包できるため力も少なく緩みにくい、また、使用する紐の量も節約でき省エネに貢献できる。
【発明を実施するための最良の形態】
【０００８】
[実施例]
以下、本発明の実施の形態を図１〜図５に基づいて説明する。
【０００９】
図１は本発明の工具を上、横面から見た概観図である。本発明の工具６は先端に切り込みを設けた金属棒４を取手５に取り付けたものである。取手５は２種類あり取手５ａは円筒形の形状を取手５ｂはＴ字型の形状を有する。先端３ａは先端３ｂを横から見た形状を示し、取手５ｃは取手５ｂを横から見た形状を示す。
【００１０】
図２は本発明の工具の先端を示す図である。本発明の工具６の先端は先端３ａに示すように先に行くほど薄くなるくさび形状であり、先端３ｂに示すように幅を少し広げ最先端部はダンボールを切り裂けやすくするため狭くした形状として、かつ紐をかける所定の幅を持つＵ字型の切込み部を示す。
【００１１】
図３は本発明の工具の使用方法を説明する図である。図のように紐２を先端３ｂのＵ字型の切込み部に掛け、先端３ｂを押し当てて折り畳んだダンボール１に穴をこじ開けて紐２を通す。紐２がダンボール１の反対に出たら本工具６を引き抜くと、紐２の一部は反対側に残るので紐２の一方を手で引き抜くと紐２はダンボール１を貫通する。
【００１２】
図４は本発明の工具を使用し折り畳んだダンボールを縛る過程を示す図である。図３の要領で再度適当な位置に同様に紐２を通し、ダンボール１に体重をかけながら反対側で両方の紐２を結ぶことにより簡単で力もいらず折り畳んだダンボール１の間に隙間が生じないように縛ることができる。
【００１３】
図５は本発明の工具を使用して折り畳んだダンボールを梱包した状態を示す図である。折り畳んだダンボール１の従来の梱包でふくらみやすい中央部分に穴を開け締め付けることで最も効果的に梱包したダンボール１の体積を減らすことができる。
【００１４】
以上詳細に説明したように、本発明の工具６の金属棒４の先端３ａはくさび形状にしたので厚いダンボールでも容易に切り裂き貫通することができた。
本発明の工具６の金属棒４の先端３ｂの幅を少し広げたのでダンボール１を切り裂く力が広げた部分に集中し金属棒４には掛からないためより少ない力でダンボール１を切り裂く事ができた。
本発明の工具６の金属棒４の先端３ｂにＵ字型の切り込み部を設けて紐２を掛けたのでダンボール１に穴を開けると同時に効率よく紐２を通すことができた。
なお、Ｔ字型の取手５ｂを使うことにより、より少ない力で紐２を通すことができる。
実施例では折り畳んだ１枚のダンボール１を梱包しているが複数枚のダンボール１を重ねて梱包してもよい、その場合金属棒４の長さを複数枚のダンボール１の厚みにあわせて十分長くする。
実施例では１枚のダンボール１に２つの穴を設けて紐を結んだが、複数個の穴を設けてそれを縫うようにしてもよい。
なお、複数枚のダンボール１に穴を設け、ダンボール１を接続するようにしてもよい。
【産業上の利用可能性】
【００１５】
本発明の工具を使ってダンボールを繋ぎ合わせてダンボールによる創作にも利用できる。
【図面の簡単な説明】
【００１６】
【図１】本発明の工具を上、横面から見た概観図である。
【図２】本発明の工具の先端を示す図である。
【図３】本発明の工具の使用方法を説明する図である。
【図４】本発明の工具を使用し折り畳んだダンボールを縛る過程を示す図である。
【図５】は本発明の工具を使用して折り畳んだダンボールを梱包した状態を示す図である。
【図６】従来のダンボールの梱包方法である。
【符号の説明】
【００１７】
１  廃棄のため折り畳んだダンボール
２  ダンボールの梱包のための紐
３ａ  本工具の先端（上から見た図）
３ｂ  本工具の先端（横から見た図）
４  本工具の棒の部分      
５ａ  取手円筒型
５ｂ  取手Ｔ字型（上から見た図）
５ｃ  取手Ｔ字型（横から見た図）
６  本工具
【図１】
2010116173.tif 000003
【図２】
2010116173.tif 000004
【図３】
2010116173.tif 000005
【図４】
2010116173.tif 000006
【図５】
2010116173.tif 000007
【図６】
2010116173.tif 000008
(57)【要約】【課題】フラッシュメモリ制御装置を提供する。【解決手段】フラッシュメモリ制御装置２００は、コントローラー２１０と拡張器２２０とからなる。拡張器２２０は、コントローラー２１０と一つ以上のフラッシュメモリ装置２３０、２３１に電気的に接続されて、データを一時的に保存し、データを整合して、処理状態を示す。コントローラー２１０は、処理状態に従って、データを一つ以上のフラッシュメモリ装置２３０、２３１に伝送するか、或いは、一つ以上のフラッシュメモリ装置２３０、２３１からデータを受信するように拡張器２２０に命令する。【選択図】図２
2010277298.tif 000002
【特許請求の範囲】
【請求項１】
フラッシュメモリ制御装置であって、
コントローラーと、
前記コントローラー、および、一つ以上のフラッシュメモリ装置に電気的に接続されて、データを一時的に保存し、データを整合して、処理状態を示す拡張器と、
からなり、
前記コントローラーは処理状態に従って、データを一つ以上の前記フラッシュメモリ装置に伝送するか、或いは、一つ以上の前記フラッシュメモリ装置からデータを受信するように前記拡張器に命令することを特徴とするフラッシュメモリ制御装置。
【請求項２】
前記コントローラーは、マイクロプロセッサ、或いは、チップであることを特徴とする請求項１に記載のフラッシュメモリ制御装置。  
【請求項３】
前記拡張器は、更に、キャッシュを含むことを特徴とする請求項１に記載のフラッシュメモリ制御装置。
【請求項４】
前記拡張器が二個以上のフラッシュメモリに電気的に接続される時、選択的に、RAID０、RAID１、および、RAID１０の功能を実行することができることを特徴とする請求項１に記載のフラッシュメモリ制御装置。
【請求項５】
処理状態がアイドル状態の時、前記フラッシュメモリ制御装置がデータを送受信する帯域幅は前記コントローラーの最高伝送帯域幅であることを特徴とする請求項１に記載のフラッシュメモリ制御装置。
【発明の詳細な説明】
【技術分野】
【０００１】
本発明は、制御装置に関するものであって、特に、フラッシュメモリ制御装置に関するものである。
【背景技術】
【０００２】
公知のフラッシュメモリ（flash  memory）制御装置において、一つのコントローラーは、一つのフラッシュメモリ装置（例えば、USB等）しか連接、或いは、制御できない。図１で示されるように、第一コントローラー１００と第二コントローラー１０１は、それぞれ、第一フラッシュメモリ装置１２０と第二フラッシュメモリ装置１２１に連接される。
【０００３】
使用者が更に大きなフラッシュメモリ容量を必要とする時、更に高い容量のフラッシュメモリ装置に交換するか、新しいコントローラーに交換して、高容量のフラッシュメモリ装置と適合させるしかない。このような状況下で、新旧のフラッシュメモリ装置、或いは、コントローラーは同時使用できず、資源の浪費となる。
【０００４】
よって、複数のフラッシュメモリ装置を連接できるフラッシュメモリ制御装置が必要である。
【先行技術文献】
【特許文献】
【０００５】
【特許文献１】特開２００９−０９３２４２号公報
【発明の概要】
【発明が解決しようとする課題】
【０００６】
本発明は、フラッシュメモリ制御装置を提供し、上述の問題を解決することを目的とする。
【課題を解決するための手段】
【０００７】
本発明のフラッシュメモリ制御装置は、コントローラーと拡張器とからなる。拡張器は、コントローラーと一つ以上のフラッシュメモリ装置に電気的に接続されて、データを一時的に保存し、データを整合して、処理状態を示す。コントローラーは、処理状態に従って、データを一つ以上のフラッシュメモリ装置に伝送するか、或いは、一つ以上のフラッシュメモリ装置からデータを受信するように拡張器に命令する。
【発明の効果】
【０００８】
本考案のフラッシュメモリ制御装置は、フラッシュメモリ拡張器を利用して、コントローラーが同時に複数のフラッシュメモリ装置を制御でき、フラッシュメモリの容量を拡張することができる。
【図面の簡単な説明】
【０００９】
【図１】公知のフラッシュメモリ制御装置を示す図である。
【図２】本発明の実施例によるフラッシュメモリ制御装置を示す図である。
【発明を実施するための形態】
【実施例】
【００１０】
図２は、本発明の実施例によるフラッシュメモリ制御装置を示す図である。フラッシュメモリ制御装置２００は、コントローラー２１０、および、拡張器２２０からなる。
【００１１】
フラッシュメモリ制御装置２００のコントローラー２１０は、マイクロプロセッサ、或いは、チップ、例えば、CPU等である。コントローラー２１０は、一つの出力ピン、例えば、NVRAMピンを有し、フラッシュメモリ装置２３０、２３１に用いられる。拡張器２２０はコントローラー２１０とフラッシュメモリ装置２３０、２３１等のブリッジインターフェースとなり、データを一時的に保存、データを整合、および、データ状態を表示し、コントローラー２１０は、同時に複数のフラッシュメモリ装置２３０、２３１等を制御することができる。
【００１２】
本実施例中、拡張器２２０は、キャッシュ（cache、図示しない）を含み、よって、コントローラー２１０は、キャッシュにより、必要なデータに高速、且つ、一時的にアクセスすることができる。拡張器２２０は、拡張器２２０中のデータを処理、例えば、分配や再整理することもできる。
【００１３】
また、拡張器２２０は、制御状態を示す功能も有し、例えば、データ状態や処理状態の状態信号を発信して、コントローラー２１０、或いは、フラッシュメモリ装置２３０、２３１等が、拡張器２２０がビジーなのか、アイドル状態なのか、把握できるようにする。拡張器２２０がアイドル状態の時、フラッシュメモリ制御装置２００がデータを送受信する帯域幅はコントローラー２１０の最高伝送帯域幅であり、データを送受信する速度は、最高３００MB/ｓである。
【００１４】
この他、拡張器２２０が二個以上のフラッシュメモリ装置を外接する時、RAID０、RAID１、および、RAID１０の功能を実行して、送受信の効率は、単独の数個のフラッシュメモリ装置よりも速度が速い。あるいは、充分な容量の拡張状況下で、複雑な保存設定、例えば、システムのデータバックアップ等を実行する。
【００１５】
本発明では好ましい実施例を前述の通り開示したが、これらは決して本発明に限定するものではなく、当該技術を熟知する者なら誰でも、本発明の精神と領域を脱しない範囲内で各種の変動や変更若しくは変形を加えることができ、従って本発明の保護範囲は、特許請求の範囲で指定した内容を基準とする。
【符号の説明】
【００１６】
１００  第一コントローラー
１０１  第二コントローラー
１２０  第一フラッシュメモリ装置
１２１  第二フラッシュメモリ装置
２００  フラッシュメモリ制御装置
２１０  コントローラー
２２０  拡張器
２３０  フラッシュメモリ装置
２３１  フラッシュメモリ装置
【図１】
2010277298.tif 000003
【図２】
2010277298.tif 000004
(57)【要約】【課題】映像表示板を撮影者に向け、映像表示板を直接又は望遠レンズにより確認した後撮影者は位置、構成を変え、シャッタースイッチを切ると表示付きタイマーの設定時間後電波が発信され、このため保持溝に保持された薄型撮影機又携帯電話機の電子シャツターが切れ撮影される．【解決手段】撮影機の電源と発信機間にシャッタースイッチと表示付きタイマーを設け薄型撮影機又携帯電話機を保持溝に保持し、更に三脚に取り付け、受信装置で電波を受け差込プラグ、差込孔を通して電子シャッターが切れ撮影される事による三脚取り付け具を持つた撮影機取り付け金具。【選択図】図１
2010277057.tif 000002
【特許請求の範囲】
【請求項１】
上面に薄型撮影機又携帯電話機（５）を保持する為の保持溝（１９）又は保持バンド（２０）を設け、裏側に三脚取付け具（１３）を撮影機取り付け金具（１２）に設ける事による三脚取り付け具を持った撮影機取り付け金具．
【請求項２】
表示付きタイマー（９）を操作機（１）のシャツタースイッチ（３）と発信機（２）間に設けるか又は撮影機取り付け金具（１２）の受信装置（８）と差込プラグ（１６）間に設ける事による三脚取り付け具を持つた撮影機取り付け金具．
【発明の詳細な説明】
【技術分野】
【０００１】本発明は、デジタルカメラ、ビデオ撮影機、携帯電話等で映像確認機能を持った撮影機を保持する容器に関する物であり、映像を確認しながら自動撮影が出来る分野に関する物である。
【背景技術】
【０００２】従来自動撮影を行う時に想像でセルフタイマーをセットした後、急いで撮影視界まで走って行っていた．
【発明の開示】
【発明が解決しようとする課題】
【０００３】そのために次のような問題点があった．
（イ）映像表示面がレンズ側に向いても１メートル以上離れると役に立たない．
（ロ）シャッターをセットしてから撮影機から急いで撮影範囲まで行く必要があった．
（ハ）別の画面を使用して撮影する方法があるが非常に高価で又形状も大きく一般には使用されていない．
（ニ）厚さの薄い携帯電話及び薄いデジタルカメラには三脚が取り付けが出来なかった．
【課題を解決する手段】
【０００４】上記の問題点を解決する為厚さの薄い撮影機又携帯電話機に三脚取り付け具を付け難い為、機器保持容器を設け更に電波をうける受信装置を取付けた．
望遠レンズで映像表示板を確認後シャッターを切ると表示付きタイマーの設定後電波を発信して撮影機又携帯電話機の電子シャッターが切れる．
【発明の効果】
【０００５】その結果、次の効果が生じる．
（イ）映像表示板をレンズ側より直接又は双眼鏡により遠方より見る事が出来る．
（ロ）厚さの薄い撮影機又携帯電話機に三脚を取り付ける事ができる．
（ハ）操作機を撮影者が持っていて映像を確認した後シャッターを切ると表示付きタイマーの設定後電波を発信して撮影機又携帯電話機の電子シャッターが切れるので走る必要がない．
（ニ）シャッターが切れる時間が操作機の表示機付きタイマーに表示されるので撮影者が安心して表現が出来る．
（ホ）映像表示板の向きを変える事により撮影の視界外より電波を発信出来るので、撮影機を気にしない自然の姿が撮影が出来る．
（ヘ）方法及び機構が簡単なので従来の別の画面を持って撮影する方法に比べて非常に安く又小型に出来る．
【発明を実施する為の最良の形態】
【０００６】以下本発明の実施形態について説明する．
（イ）電源と電波を発振する発信機（２）間にシャッタースイッチ（３）と表示付きタイマー（９）を同一回路上に設けた操作機（１）にもうける．
（ロ）薄型撮影機又携帯電話機（５）に蝶番（６）により映像表承板（７）を取り付け、更に電子シャッター（１０）と連動した差込及び孔（１８）を設ける．
（ハ）薄型撮影機又携帯電話機（５）の厚さに近い溝を持つた保持溝（１９）の裏側に三脚を取付ける為の三脚取付け具（１３）を設け更に電波を受ける受信装置（８）と同一回路上に差込プラグ（１６）を撮影機取り付け金具（１２）に設ける，図１は撮影機取り付け金具（１２）充電する為の容器した例であり、充電機（１４），電源プラグ（１５）を設けると大変便利である．
（ハ）図２は撮影機取り付け金具（１２）に表示付きタイマー（９）を受信装置（８）と差込プラグ（１６）間に設けた例である．
（ニ）図３は撮影機取り付け金具（１２）に保持バンド（２０）を設け薄型撮影機又携帯電話機（５）を取付けた例である．
（ホ）図４は撮影機取り付け金具（１２）に保持溝（１９）又は保持バンド（２０）を表側に、裏側に三脚取付け具（１３）を設け、表示付きタイマー（９）電子シャッター（１０）を薄型撮影機又携帯電話機（５）に取り付けた例である．
（ヘ）図５は撮影機取り付け金具（１２）に保持溝（１９）又は保持バンド（２０）を表側に、裏側に三脚取付け具（１３）を設け、更に電源（１７）表示付きタイマー（９）を設け、更に差込プラグ（１６）を差込及び孔（１８）に差し込む事によりなる例である．
本発明は以上のような構成で、これを使用する時は薄型撮影機又携帯電話機（５）を保持溝（１９）に差込三脚取付け具（１３）を三脚（１１）に取り付け、差込プラグ（１６）を差込及び孔（１８）に差し込む．
蝶番（６）により映像表示板（７）を撮影者に向け映像表示板（７）を直接又は望遠レンズ（４）により確認した後撮影者は位置、構成を変えた後シャツタースイッチ（３）を切ると表示付きタイマー（９）の設定後に発信機（２）より電波が発信され受信装置（８）が受信後電子シャツター（１０）が切れ、最適な撮影が出来る．
図２は表示付きタイマー（９）を撮影機取り付け金具（１２）に取付けた例で、この場合はシャッタースイッチ（３）を切ると発信機（２）より電波が発信されるが受信装置（８）で受信後表示付きタイマー（９）の設定後に電子シャツター（１０）が切れ、撮影される．
又映像表示板（７）の角度を変え撮影者が別の見えない位置で撮影すると、撮影機を気にしない子供の姿、動物、鳥の姿を撮影出来る．
図３は薄型撮影機又携帯電話機（５）を保持バンド（２０）で機器保持容器（１２）に取り付けて撮影が出来る．
図４は薄型撮影機又携帯電話機（５）の表示付きタイマー（９）を設定後三脚取付け具（１３）を三脚（１１）に取り付け、撮影が出来る．
図５は撮影機取り付け金具（１２）の表示付きタイマー（９）を設定後差込プラグ（１６）を差込及び孔（１８）に差し込む事により撮影が出来る。
【図面の簡単な説明】
【０００７】
【図１】本発明の斜視図である．
【図２】本発明の応用例の斜視図である．
【図３】本発明の応用例の斜視図である．
【図４】本発明の応用例の斜視図である．
【図５】本発明の応用例の斜視図である．
【符号の説明】１．操作機  ２．発信機  ３．シャッタースイッチ  ４．望遠レンズ  ５．薄型撮影機又携帯電話機  ６．蝶番  ７．映像表示板  ８．受信装置  ９．表示付きタイマー  １０．電子シャツター  １１．三脚  １２．撮影機取り付け金具  １３．三脚取付け具  １４．充電機  １５．電源プラグ  １６．差込プラグ  １７．電源  １８．差込孔  １９．保持溝  ２０．保持バンド
【図１】
2010277057.tif 000003
【図２】
2010277057.tif 000004
【図３】
2010277057.tif 000005
【図４】
2010277057.tif 000006
【図５】
2010277057.tif 000007
(57)【要約】【課題】      従来のＵＳＢメモリー市販品を使っている消費者は、普段の生活の中でＵＳＢを紛失しやすいという問題があった。これは容量の増大やボディーデザインの更新では改善される問題ではない。身に着けない限りに紛失の問題が解決されないと考える。【解決手段】    ＵＳＢメモリーを無くさない為に腕につけるという有効な方法を考案。本人の目線が自然に腕に届き、無意識の中で有無を確認し、紛失を防げる有効な手段と言える。また、ＰＶＣゴムという軽量材を使用する為、老若男女誰でも簡単に装着することができる。また、金属アレルギー体質な方でも安心して使用できる。【選択図】図２
2010277564.tif 000002
【特許請求の範囲】
【請求項１】
バンドタイプＵＳＢメモリー、腕につける方式で紛失する可能性を最小限に抑える。片端のＵＳＢが凸という形を取り、もう片端が凹という形を取り、両者は嵌まり込む。さらにこの凹凸の密封性を高める為に留具がついている。金属等の接触アレルギー反応を予防する為、人体にやさしいＰＶＣゴム材を使用。
【発明の詳細な説明】
【技術分野】
【０００１】  本発明は、一般消費者の携帯便利性の向上と紛失防止を図ったバンドタイプＵＳＢメモリーに関する。
【背景技術】
【０００２】  情報化社会の進む今、ＵＳＢメモリーは欠かせない物になってきている。そのＵＳＢの中には、流出しては困る秘匿性の高い情報も保存されている。紛失防ぎたいとする社会的要請がる。従来のＵＳＢメモリーには身体に装着できる種類がなく、普段使用しない時によく紛失する。こういう現象を抑えるための有効対策を施したものである。【０００３】  従来のＵＳＢメモリーについて説明する。現在一般消費者が使用している市販品は各サイズの容量とデザインは豊富だが、使用者が普段生活の中で紛失してしまうという危険を想定して製造販売されている商品は皆無とも言える。
【発明の概要】
【発明が解決しようとする課題】
【０００４】  以上に述べたように従来のＵＳＢメモリーでは、移動中の紛失は生活の中で気づかれにくく、所持者が知らない内に紛失してしまうという危険を内包している。【０００５】  本発明はこのような現象をもたらす商品が有している問題を解決しようとするものであり、携帯しやすく、紛失しにくいＵＳＢメモリーを実現することを目的とするものである。
【課題を解決するための手段】
【０００６】  そして、本発明は上記目的を達成する為に身体に装着するという点に着目した。身体の各部分を使い携帯方法を考案し試験した結果、最善であった腕につけるという方法を採用した。採用した理由としては、まず本人の目線が自然に届き、無意識で有無を確認し、紛失を防げる点にある。次に、殆どの人々が腕時計を腕につける習慣があるので、腕につけるという動作に対して違和感がなく、装着できる。【０００７】  使用材質に関して、金属；皮革などアレルギーを起こしやすい素材を避け、図１のようにＰＶＣゴムという材料を使うことにした。また、ゴムが非常に軽いという特徴があり老若男女誰でも簡単に装着することができる。【０００８】  図２のように両サイドよりお互いが嵌まり込むという仕様と留具の構造を採用している為、防水性も優れている。装着したままの家事や、雨に濡れても多少は問題ない。【０００９】  市場で販売されている市販品の大半は金属材を使っている事に対して、ＰＶＣゴムは製造コスト安く、環境に優しく、リサイクルしやすいといったメリットがある。
【発明の効果】
【００１０】  上述したように本発明のバンドタイプＵＳＢメモリーは本人の目線が自然に届く腕につけることによって紛失することを最小限に抑えることができ、仕事あるいは生活の効率を高める機能を提供できる。【００１１】  また、ＰＶＣゴムの軽さを生かし、使用者にとって使いやすいという効果を発揮するものである。
【図面の簡単な説明】
【００１２】
【図１】本発明の形を示す外観図、上端金属部分はＵＳＢメモリー
【図２】本発明品が両サイドよりお互いが嵌まり込むという形を示す外観図
【図３】本発明品が腕を回るという形で腕に装着する最終形を示す外観図
【発明を実施するための最良の形態】
【００１３】  腕時計のように腕を回るという形で腕に装着する。片端のＵＳＢが凸という形を取り、もう片端が凹という形を取り、両者が嵌まり込む。図３のように更にこの凹凸の密封性を高める為に留具をつけている。
【図１】
2010277564.tif 000003
【図２】
2010277564.tif 000004
【図３】
2010277564.tif 000005
(57)【要約】      （修正有）【課題】現在の方形波を利用した、「１」「０」の２進法のディジタル演算は基本的にＣＰＵの周波数に処理速度を依存し、現在、処理速度は飽和状態になりつつあるので、光色の３原色を利用し７進法を提供する。【解決手段】光色の３原色を基本として７進法を実現するため、複数の２種類以上の光色、及び単一色の光色を以下の方法により交える（混合する）。光色の３原色を利用し７進法をとることで２進法の３．５倍の処理速度向上となる。また、現在のディジタル演算は基本的に周波数の高さで決まるが光色は光速（秒／３００×１０の６乗ｍ）に近い処理速度を達成できる。【選択図】図３
2010277563.tif 000002
【特許請求の範囲】
【請求項１】
光の３原色にそれぞれ「１」「２」「４」の値を付け７進法の演算を行う方法で白色の場合、１桁目を「０」、２桁目を「１」とする。
【請求項２】
光の交わりを行う光色加算器（混合器）を１段から２段にすることで７進法の演算の桁上がりを実現する方法。
【発明の詳細な説明】
【技術分野】
【０００１】  光色演算、光色加算器、光演算
【背景技術】
【０００２】  光の三原色、及び光の混合表が整備されている。
【先行技術文献】
【特許文献】
【０００３】  なし
【発明の概要】
【０００４】  光の３原色にそれぞれ「１」「２」「４」の値を付ける。
光色の交わり（混合）を利用して７進法の演算を行う。
また、７進法の桁上がりは「１」「２」「４」の交わった（混合した）「白色」を論理的に「１０」とすることで可能とする。
【発明が解決しようとする課題】
【０００５】  現在の方形波を利用した、「１」「０」の２進法のディジタル演算は基本的にＣＰＵの周波数に処理速度を依存し、現在、処理速度は飽和状態になりつつある。
【課題を解決するための手段】
【０００６】  光色の３原色を利用し７進法をとることで２進法の３．５倍の処理速度向上となる。
また、現在のディジタル演算は基本的に周波数の高さで決まるが光色は光速（秒／３００×１０の６乗ｍ）に近い処理速度を達成できる。
【発明の効果】
【０００７】  光色演算回路、１ｍ当たり、「１／３００×１０の６乗」秒に近い処理速度で演算が可能。
【図面の簡単な説明】
【０００８】
【図１】光色７進法図  光の３原色に１，２，４の値を置き交わった色と色の値を記載したものです。
【図２】光色加算器実例図  図１を実際にレンズで焦点を結ぶための光色加算器の概要設計図です。
【図３】光色第１加算器、第２加算器接続実例図  図２の光色第１加算器の３つの出力を入力とする第２加算器接続図です。
【図４】光色第１加算器、第２加算器論理接続表  図２の加算回路の論理記載表です。
【図５】光色第１加算器、第２加算器演算例  図４を元にした図３の加算回路の演算例です。
【発明を実施するための形態】
【０００９】  光色の３原色を基本として７進法を実現するため、複数の２種類以上の光色、及び単一色の光色を以下の方法により交える（混合する）。
・焦点を結ぶ方法。
具体的にはレンズの特性である焦点を結ぶことを利用よる方法。
・乱反射を利用する方法。
具体的には球面の内側の反射角を利用する方法。
・集光を利用する方法。
具体的にはプリズムの特性である分光と集光の集光特性を利用する方法。
【実施例】
【００１０】  レンズを用いて焦点を結び、光色を混合する光色加算器を使う。
第１光色加算器は３原色の入力を３つ、出力を１つ持つ。
第２光色加算器も３つの入力と１つの出力を持つ、第１光色加算器の出力の１つを１つの入力とする。
第１光色加算器３個のそれぞれの出力を第２加算器の入力とする。
これにより、桁上がりの計算が可能となる。
【産業上の利用可能性】
【００１１】  現在はまだ入力、出力の半導体デバイスが本装置より極端に遅いため、将来の光コンピュータのデモンストレーションに使用する。
【符号の説明】
【００１２】  図１記載の記号、▲１▼、▲２▼、▲３▼は光の三原色（３原色）を表します。
また、アラビア数字は光色に割り当てた数字を表します。
三原色はそれぞれ、１、２、４で交わった光（混合色）はそれぞれ３、５、６、０となります。
図２記載のＩは上部方向から見た図でＩＩは斜め前方向より見た図です。
図２記載の記号は図１の▲１▼、▲２▼、▲３▼、▲４▼の記号と対応します。
図３記載の記号は図４の▲１▼、▲２▼、▲３▼、▲４▼、▲５▼、▲６▼、▲１０▼の記号と対応します。
図３には▲７▼、▲８▼、▲９▼の記載はありませんが、▲４▼と▲７▼、▲５▼と▲８▼、▲６▼と▲９▼は同色の出力入力となります。
【図１】
2010277563.tif 000003
【図２】
2010277563.tif 000004
【図３】
2010277563.tif 000005
【図４】
2010277563.tif 000006
【図５】
2010277563.tif 000007
(57)【要約】【課題】発光装置の発光強度を向上させること。【解決手段】発光装置は、基体１、発光素子２および封入部材３を含んでいる。発光装置は、光学多層膜４および波長変換部材５をさらに含んでいる。基体１は、上側凹部を有している。発光素子２は、凹部の底面に実装されており、第１次光を放射する。封入部材３は、発光素子２に付着しており、凹部の内側に設けられている。光学多層膜４は、封入部材３の上面において周囲領域に部分的に設けられている。波長変換部材５は、封入部材３および光学多層膜４の上に設けられており、第１次光に応じて第２次光を放射する。【選択図】図３
2010129711.tif 000002
【特許請求の範囲】
【請求項１】
上側凹部を有する基体と、
前記上側凹部の底面に実装された発光素子と、
前記発光素子の上端および側面を囲んでおり、前記上側凹部の内側に設けられた封入部材と、
前記封入部材の上面において部分的設けられており、前記封入部材の前記上面における周囲領域に配置されているとともに、前記発光素子から放射された光を透過させる光学多層膜と、
前記封入部材および前記光学多層膜の上に設けられた波長変換部材と、
を備えた発光装置。
【請求項２】
前記光学多層膜が、ＳｉＯ２膜およびＴｉＯ２膜を含んでいることを特徴とする請求項１記載の発光装置。
【請求項３】
前記光学多層膜が、前記基体の上端および前記波長変換部材の間に位置していることを特徴とする請求項１記載の発光装置。
【発明の詳細な説明】
【技術分野】
【０００１】
本発明は、例えば発光ダイオードなどの発光素子を有する発光装置に関するものである。
【背景技術】
【０００２】
近年、例えば発光ダイオードなどの発光素子を有する発光装置に開発が進められている。発光装置は、発光素子に付着している封入部材および封入部材の上に設けられた波長変換部材を有している。例えば照明分野などにおいて、発光装置は、発光強度の向上が求められている。
【特許文献１】特開２００４−３９６９１号公報
【発明の開示】
【発明が解決しようとする課題】
【０００３】
発光装置の発光強度を向上させるためには、発光素子から波長変換部材に届く光の量を増大させる必要がある。従来の発光装置において、発光素子から放射された光は、封入部材および波長変換部材の界面において下方へ反射される可能性があった。
【課題を解決するための手段】
【０００４】
本発明の一つの態様によれば、発光装置は、基体、発光素子および封入部材を含んでいる。発光装置は、光学多層膜および波長変換部材をさらに含んでいる。基体は、上側凹部を有している。発光素子は、凹部の底面に実装されている。封入部材は、発光素子の上端および側面を囲んでおり、凹部の内側に設けられている。光学多層膜は、封入部材の上面において部分的に設けられており、封入部材の上面における周囲領域に配置されている。光学多層膜は、発光素子から放射された光を透過させる。波長変換部材は、封入部材および光学多層膜の上に設けられている。
【発明の効果】
【０００５】
本発明の一つの態様によれば、発光装置は、光学多層膜を含んでいる。光学多層膜は、封入部材の上面において周囲領域に部分的に設けられている。発光装置は、このような構成により、封入部材および波長変換部材の間における第１次光の反射が低減されている。従って、発光装置は、発光強度に関して改善されている。
【発明を実施するための最良の形態】
【０００６】
以下、本発明におけるいくつかの例示的な実施形態について図面を参照して説明する。
【０００７】
本発明の一つの実施形態における発光装置は、図１から図３までに示されているように、基体１、発光素子２および封入部材３を含んでいる。発光装置は、光学多層膜４および波長変換部材５をさらに含んでいる。図１において、発光装置の内部構造を示すために、基体１の一部分が破線によって示されている。図２おいて、発光装置の内部構造を示しために、波長変換部材５が省略されている。図１において、発光装置は、仮想のｘｙｚ空間のｘｙ平面に実装されている。本実施形態において、上方向とは、図１における仮想のｚ軸の正方向のことをいう。
【０００８】
基体１は、上側凹部１２を有している。上側凹部１２は、底面１２１および側面１２２を有している。例示的な基体１は、実質的にセラミックスからなる。
【０００９】
発光素子２は、上側凹部１２の底面１２１に実装されている。例示的な発光素子２は、半導体材料を含む発光ダイオードである。発光素子２は、駆動電力に応じて第１次光を放射する。第１次光は、紫外領域に含まれる波長を有している。
【００１０】
封入部材３は、上側凹部１２の内側に設けられており、発光素子２に付着している。例示的な封入部材３は、シリコーン樹脂からなる。
【００１１】
光学多層膜４は、封入部材３の表面上に設けられている。光学多層膜４は、封入部材３の上面において周囲領域に部分的に設けられている。例示的な光学多層膜４は、ＳｉＯ２膜およびＴｉＯ２膜を含んでいる。例示的な光学多層膜４は、複数のＳｉＯ２膜および複数のＴｉＯ２膜が交互に積層された構造を有している。
【００１２】
光学多層膜４は、封入部材３の上面における周囲領域において発光素子２から放射された第１次光に関して透過性を有するように、膜厚に関して調整されている。具体的には、ＳｉＯ２膜およびＴｉＯ２膜の各々の膜厚が調整されている。
【００１３】
本実施形態の発光装置は、封入部材３の上面における周囲領域に部分的に設けられた光学多層膜４を有していることにより、封入部材３の上面における周囲領域において、波長変換部材５に届く第１次光の量が増大されている。従って、本実施形態の発光装置は、発光強度に関して改善されている。
【００１４】
光学多層膜４は、基体１の上端および波長変換部材５の間に位置している。従って、本実施形態の発光装置は、基体１の上端および波長変換部材５の間における熱の伝導に関して低減されている。本実施形態の発光装置は、波長変換部材５の熱劣化に関して低減されている。
【００１５】
波長変換部材５は、封入部材３および光学多層膜４の上に設けられている。波長変換部材５は、発光素子２から放射された第１次光に応じて第２次光を放射する。波長変換部材５は、マトリクス材料および複数の蛍光粒子を含んでいる。例示的なマトリクス材料は、シリコーン樹脂である。複数の蛍光粒子は、発光素子２から放射された第１次光によって励起される。複数の蛍光粒子は、可視光を放射する。
【図面の簡単な説明】
【００１６】
【図１】本発明の一つの実施形態における発光装置を示している。
【図２】図１に示された発光装置の平面図を示している。
【図３】図３に示された発光装置のIII−IIIにおける断面図を示している。
【符号の説明】
【００１７】
１  基体
２  発光素子
３  封入部材
４  光学多層膜
５  波長変換部材
【図１】
2010129711.tif 000003
【図２】
2010129711.tif 000004
【図３】
2010129711.tif 000005
(57)【要約】【課題】発光装置の発光強度を向上させること。【解決手段】発光装置は、基体１、発光素子２および第１透光性部材３を含んでいる。発光装置は、光学多層膜４、第２透光性部材５および波長変換部材６をさらに含んでいる。光学多層膜４は、第１透光性部材３の上面における中央領域に部分的に設けられており、発光素子２の実装領域１６を囲んでいる。第２透光性部材５は、第１透光性部材３より大きい屈折率を有しており、発光素子２に付着しているとともに、第１透光性部材３および光学多層膜４の上に設けられている。波長変換部材６は、第２透光性部材５を覆っており、第１次光に応じて第２次光を放射する。【選択図】図１
2010129712.tif 000002
【特許請求の範囲】
【請求項１】
基体と、
前記基体に実装された発光素子と、
前記基体の前記発光素子の実装領域を囲んでおり、前記基体の表面上に設けられた第１透光性部材と、
前記第１透光性部材の上面において部分的に設けられており、前記実装領域を囲んで前記第１透光性部材の上面の中央領域に配置されているとともに、前記発光素子から放射された光を反射する光学多層膜と、
前記第１透光性部材より大きい屈折率を有しており、前記発光素子の上端および側面を囲んでいるとともに、前記第１透光性部材および前記光学多層膜の上に設けられた第２透光性部材と、
前記第２透光性部材を覆っている波長変換部材と、
を備えた発光装置。
【請求項２】
前記光学多層膜が、ＳｉＯ２膜およびＴｉＯ２膜を含んでいることを特徴とする請求項１記載の発光装置。
【請求項３】
前記基体が、前記実装領域を含む突出部を有していることを特徴とする請求項１記載の発光装置。
【請求項４】
前記光学多層膜が、前記突出部を囲んでいることを特徴とする請求項３記載の発光装置。
【発明の詳細な説明】
【技術分野】
【０００１】
本発明は、例えば発光ダイオードなどの発光素子を有する発光装置に関するものである。
【背景技術】
【０００２】
近年、例えば発光ダイオードなどの発光素子を有する発光装置に開発が進められている。発光素子を有する発光装置は、例えば照明分野などにおいて、低消費電力または長寿命に関して注目されている。発光装置の開発において、発光強度に関するさらなる改善が求められている。発光装置は、発光素子から放射された第１次光に応じて第２次光を放射する波長変換部材を含んでいる。
【特許文献１】特開２００４−３９６９１号公報
【発明の開示】
【発明が解決しようとする課題】
【０００３】
発光装置の発光強度を向上させるためには、発光素子から下方へ放射された第１次光の減衰を低減させることが必要である。
【課題を解決するための手段】
【０００４】
本発明の一つの態様によれば、発光装置は、基体、発光素子および第１透光性部材を含んでいる。発光装置は、光学多層膜、第２透光性部材および波長変換部材をさらに含んでいる。光学多層膜は、第１透光性部材の上面において部分的に設けられており、発光素子を囲んで第１透光性部材の上面における中央領域に設けられている。第２透光性部材は、第１透光性部材より大きい屈折率を有しており、発光素子の上端および側面を囲んでいるとともに、第１透光性部材および光学多層膜の上に設けられている。波長変換部材は、第２透光性部材を覆っている。
【発明の効果】
【０００５】
本発明の一つの態様によれば、発光装置は、光学多層膜を含んでいる。光学多層膜は、第１透光性部材の上面における中央領域に部分的に設けられており、発光素子の実装領域を囲んでいる。発光装置は、このような構成により、発光素子から下方へ放射された第１次光の上方への反射効率に関して向上されている。従って、発光装置は、発光強度に関して改善されている。
【発明を実施するための最良の形態】
【０００６】
以下、本発明におけるいくつかの例示的な実施形態について図面を参照して説明する。
【０００７】
本発明の一つの実施形態における発光装置は、図１に示されているように、基体１、発光素子２および第１透光性部材３を含んでいる。発光装置は、光学多層膜４、第２透光性部材５および波長変換部材６をさらに含んでいる。
【０００８】
基体１は、複数の埋設導体パターン１２を有している。基体１は、突出部１４を含む上面を有している。基体１は、複数の端子パターン１８を含む下面を有している。複数の端子パターン１８は、複数の埋設導体パターン１２に電気的に接続されている。
【０００９】
発光素子２は、基体１の突出部１４に実装されており、複数の埋設導体パターン１２に電気的に接続されている。発光素子２は、フリップチップ接続によって実装されている。例示的な発光素子２は、半導体材料を含む発光ダイオードである。発光素子２は、駆動電力に応じて第１次光を放射する。第１次光は、紫外領域に含まれる波長を有している。
【００１０】
第１透光性部材３は、基体１の表面上に設けられており、基体１の発光素子２の実装領域１４を囲んでいる。第１透光性部材３は、第１屈折率を有している。例示的な第１透光性部材３は、シリコーン樹脂を含んでいる。
【００１１】
光学多層膜４は、発光素子１２の実装領域１６を囲んでおり、第１透光性部材３の上面における中央領域に部分的に設けられている。光学多層膜４は、基体１の突出部１４を囲んでいる。例示的な光学多層膜４は、ＳｉＯ２膜およびＴｉＯ２膜を含んでいる。例示的な光学多層膜４は、複数のＳｉＯ２膜および複数のＴｉＯ２膜が交互に積層された構造を有している。光学多層膜４は、発光素子２から下方へ放射された第１次光を反射する。従って、本実施形態の発光装置は、発光強度に関して改善されている。
【００１２】
第２透光性部材５は、発光素子２に付着している。第２透光性部材５は、第１透光性部材３および光学多層膜４の上に設けられている。第２透光性部材５は、ドーム形状の上面を有している。第２透光性部材５は、第２屈折率を有している。第２屈折率は、第１透光性部材３の第１屈折率より大きい。例示的な第２透光性部材５は、シリコーン樹脂からなる。
【００１３】
波長変換部材６は、発光素子２および第２透光性部材５を覆っている。波長変換部材６は、発光素子２から放射された第１次光に応じて第２次光を放射する。波長変換部材６は、マトリクス材料および複数の蛍光粒子を含んでいる。例示的なマトリクス材料は、シリコーン樹脂である。複数の蛍光粒子は、発光素子２から放射された第１次光によって励起される。複数の蛍光粒子は、可視光を放射する。
【００１４】
図１において、光学多層膜４による第１次光の反射が、実線矢印によって示されている。第１透光性部材３および第２透光性部材５の界面による第１次光の反射が、点線矢印によって示されている。本実施形態における発光装置は、光学多層膜３を有していることにより、発光素子２から下方へ放射された第１次光の減衰に関して低減されている。従って、本実施形態の発光装置は、発光強度に関して改善されている。
【図面の簡単な説明】
【００１５】
【図１】本発明の一つの実施形態における発光装置の断面図を示している。
【符号の説明】
【００１６】
１  基体
２  発光素子
３  第１透光性部材
４  光学多層膜
５  第２透光性部材
６  波長変換部材
【図１】
2010129712.tif 000003